(57)【要約】  異なる種別の装置から受け付けたそれぞれの予約に基づき、運転を実行することを可能にする室内機、空気調和装置、空気調和システムおよびプログラムを提供する。室内機は、２以上の装置から運転の予約を受け付ける受信手段と、装置の種別毎に運転の予約を設定する設定手段と、種別毎に設定された運転の予約の予約内容に従って、室内機を制御する制御手段とを含む。【選択図】  図５
2021075020.tif 000002
【特許請求の範囲】
【請求項１】
運転の予約を受け付ける室内機であって、
２以上の装置から運転の予約を受け付ける受信手段と、
前記装置の種別毎に前記運転の予約を設定する設定手段と、
種別毎に設定された前記運転の予約の予約内容に従って、前記室内機を制御する制御手段と
を含む、室内機。
【請求項２】
前記設定手段は、前記室内機とネットワークを介して前記運転の予約を受け付けたか否かに応じて前記装置の種別を判別する、請求項１に記載の室内機。
【請求項３】
前記設定手段は、前記２以上の装置のうちの１つから予約の解除要求を受けて、対応する前記種別に設定された前記予約を解除する、請求項１または２に記載の室内機。
【請求項４】
前記２以上の装置のうちの１つから予約状況の確認要求を受けて、前記設定手段により設定されている前記予約の情報を音声出力する音声出力手段を含む、請求項１〜３のいずれか１項に記載の室内機。
【請求項５】
前記音声出力手段は、前記２以上の装置のうちの１つから予約の解除要求を受けて、解除する予約以外の残りの予約の情報を音声出力する、請求項４に記載の室内機。
【請求項６】
前記２以上の装置のうちの１つから予約状況の確認要求を受けて、前記設定手段により設定されている前記予約の情報を送信する送信手段を含む、請求項１〜５のいずれか１項に記載の室内機。
【請求項７】
前記送信手段は、前記２以上の装置のうちの１つから予約の解除要求を受けて、解除する予約以外の残りの予約の情報を送信する、請求項６に記載の室内機。
【請求項８】
前記種別に関係なく少なくとも１つの前記予約が設定されていることを表示する表示手段を含む、請求項１〜７のいずれか１項に記載の室内機。
【請求項９】
前記制御手段は、前記２以上の装置のうちの１つがネットワークを介して接続されているか否かを判断し、
前記表示手段は、前記種別に関係なく少なくとも１つの前記予約が設定されていることを点灯により表示するランプであり、
前記制御手段は、前記ネットワークを介して接続されていないと判断した装置についての予約しか設定されていない場合、前記ランプを消灯させる、請求項８に記載の室内機。
【請求項１０】
請求項１〜９のいずれか１項に記載の室内機を含む、空気調和装置。
【請求項１１】
請求項１〜９のいずれか１項に記載の室内機と、前記室内機に対して運転の予約の設定を指示する２以上の装置とを含む、空気調和システム。
【発明の詳細な説明】
【技術分野】
【０００１】
本発明は、運転の予約を受け付ける室内機、空気調和装置および空気調和システムに関する。
【背景技術】
【０００２】
空気調和装置は、室内においてリモートコントローラ（以下、リモコンと略す。）により運転モードや温度の設定、運転の予約等を行うことができる。このような空気調和装置において、リモコンに加えて、外出先からスマートフォン等の通信端末により操作可能な装置が知られている（例えば、特許文献１参照）。この装置では、ユーザは、外出先から運転の予約を行うことができる。
【先行技術文献】
【特許文献】
【０００３】
【特許文献１】特許第４１５５８０３号公報
【発明の概要】
【発明が解決しようとする課題】
【０００４】
従来の装置は、予約情報の管理が共通であるため、リモコンで設定した予約が残っている状態で、通信端末から予約を行った場合、先にリモコンで設定した予約の予約情報が、後に通信端末で設定した予約の予約情報で上書きされる。その逆の、通信端末で設定した予約が残っている状態で、リモコンから予約を行った場合も同様である。【０００５】
このため、従来の装置では、リモコンと通信端末から運転の予約を受け付けても、最後に受け付けた予約に基づく運転しか実行されないという問題があった。
【課題を解決するための手段】
【０００６】
本発明は、上記課題に鑑み、運転の予約を受け付ける室内機であって、
２以上の装置から運転の予約を受け付ける受信手段と、
装置の種別毎に運転の予約を設定する設定手段と、
種別毎に設定された運転の予約の予約内容に従って、室内機を制御する制御手段と
を含む、室内機が提供される。
【発明の効果】
【０００７】
本発明によれば、異なる種別の装置から予約を受け付けた場合、それぞれの予約に基づく運転を実行することが可能となる。
【図面の簡単な説明】
【０００８】
【図１】空気調和システムの構成例を示した図。
【図２】空気調和装置の構成例を示した図。
【図３】室内機が備える制御装置のハードウェア構成を例示した図。
【図４】リモコンおよび通信端末のハードウェア構成を例示した図。
【図５】室内機が備える制御装置の機能構成を例示したブロック図。
【図６】従来のシステムによる予約管理について説明する図。
【図７】図５に示す制御装置を備えたシステムによる予約管理の一例を示した図。
【図８】予約確認を行った場合のシステム動作の一例を示した図。
【図９】通信が途絶した場合のシステム動作の一例を示した図。
【発明を実施するための形態】
【０００９】
図１は、空気調和システムの構成例を示した図である。空気調和システムは、１つの空間内に設置される室内機１０と、その空間内に配置され、室内機１０を操作するためのリモコン１１と、その空間外に設置される室外機１２とから構成される空気調和装置を含む。また、空気調和システムは、空間内に設置され、室内機１０をネットワーク１３に接続する中継装置１４と、その空間の外部から室内機１０を操作することが可能な通信端末１５と、通信端末１５をネットワーク１３に接続する中継装置１６とを含む。
【００１０】
ネットワーク１３は、ＬＡＮ（Local Area Network）であってもよいし、ＷＡＮ（Wide Area Network）であってもよい。中継装置１４は、Ｗｉ−Ｆｉ等の無線により室内機１０をネットワーク１３に接続するルータ等の機器である。中継装置１６は、基地局等であり、通信端末１５をネットワーク１３に接続する装置である。ここでは、室内機１０と通信端末１５が、ネットワーク１３および２つの中継装置１４、１６を介して通信を行うものとして説明するが、これに限られるものではなく、中継装置１４のみを介して通信を行ってもよい。
【００１１】
空気調和システムは、室内機１０、リモコン１１、室外機１２、通信端末１５をそれぞれ２台以上含んでいてもよく、これら以外の、例えば通信端末１５に対して空気調和装置の運転に関するサービスを提供するサーバ等の機器を含んでいてもよい。
【００１２】
室内機１０と室外機１２とは、熱媒体としての冷媒が循環する冷媒配管１７により接続される。また、室内機１０と室外機１２とは、互いに通信を行うために通信ケーブル等により接続される。
【００１３】
室内機１０は、ユーザによるリモコン１１や通信端末１５の操作を受けて、運転の予約設定（タイマ設定）を行う。室内機１０は、リモコン１１から予約を受け付けると、リモコン１１から予約があったことのみを設定する。これは、通信端末１５からの予約も同様である。室内機１０は、この時点で予約の内容を受け付けていないので、いつ運転を行えばよいかは知らない。なお、運転条件については、前回の運転で設定された運転モードや設定温度等となる。
【００１４】
室内機１０は、リモコン１１や通信端末１５からの指示を受けて起動し、または停止する。これは、タイマ設定を行った場合も同様である。タイマ設定を行った場合は、運転の開始時刻になったところで、リモコン１１や通信端末１５から室内機１０へ運転の指示が送信される。また、運転の終了時刻になったところで、リモコン１１や通信端末１５から室内機１０へ運転停止の指示が送信される。
【００１５】
室内機１０は、室外機１２に対して起動を指令し、室内機１０において測定した室温等を通知する。室内機１０は、リモコン１１や通信端末１５から運転モード、設定温度、設定風量等の運転条件の変更を受け付けた場合、室外機１２に対して変更された運転条件も通知する。室内機１０は、室外機１２に対して運転の停止も指令する。
【００１６】
室内機１０は、運転中、室内の空気を取り込み、取り込んだ空気と、室外機１２から供給される冷媒との間で熱交換し、冷却された空気または暖められた空気を吹き出し、室内を設定温度になるように冷却または暖める。
【００１７】
室外機１２は、室内機１０からの指令を受けて起動し、設定された、または室内機１０から通知された運転モードで運転を開始する。室外機１２は、設定された、または室内機１０から通知された設定温度、設定風量等に応じて、冷媒の温度、圧力、流量等を制御する。室外機１２は、室内機１０からの指令を受けて運転を停止する。
【００１８】
リモコン１１は、室内機１０と赤外線等を使用して無線通信を行う。リモコン１１は、ユーザの操作を受け付け、運転モード、温度、風量、タイマ等を設定する。リモコン１１は、タイマ設定において、運転を終了するまでの運転時間や、運転を開始する時刻および運転を終了する時刻等を設定する。タイマ設定では、例えば睡眠中に自動で設定温度等を変更する機能の設定も可能である。
【００１９】
リモコン１１は、タイマを設定した場合、室内機１０に対してタイマ設定を指示する。このとき、リモコン１１は、自身を識別する識別情報を送信する。リモコン１１は、時間を計時し、設定した開始時刻になった時点で、室内機１０に対して起動を指示する。また、リモコン１１は、設定した終了時刻になった時点、または設定した運転時間が経過した時点で、室内機１０に対して運転を停止するように指示する。なお、リモコン１１が時間を計時するために使用する時計機能は、ユーザにより時刻が設定される。
【００２０】
通信端末１５は、中継装置１６、ネットワーク１３、中継装置１４を介して室内機１０と通信を行う。通信端末１５もリモコン１１と同様、ユーザの操作を受け付け、運転モード等を設定し、室内機１０に対してタイマ設定を指示する。通信端末１５も、タイマ設定を指示する際、自身を識別する識別情報を送信する。
【００２１】
通信端末１５は、時間を計時し、設定した開始時刻になった時点で、室内機１０に対して起動を指示する。また、通信端末１５は、設定した終了時刻になった時点、または設定した運転時間が経過した時点で、室内機１０に対して運転を停止するように指示する。なお、通信端末１５が時間を計時するために使用する時計機能は、ネットワーク１３との通信により得られる正確な時刻で設定される。
【００２２】
通信端末１５は、室内機１０の操作を可能にするため、例えば室内機１０と通信を行い、ユーザに対して室内機１０の起動、温度変更、タイマ設定等の画面を提供するためのアプリケーションを実装している。
【００２３】
図２は、空気調和装置の構成例を示した図である。空気調和装置は、室内機１０と、室外機１２とを含んで構成される。室内機１０と室外機１２は、冷媒が循環するように冷媒配管１７により接続されている。
【００２４】
室内機１０は、熱交換器２０と、ファン２１と、冷媒入口温度センサ２２と、冷媒出口温度センサ２３と、吸込空気温度センサ２４と、制御装置２５と、マイク２６とを含む。室内機１０は、湿度センサ等のその他の機器を含んでいてもよい。
【００２５】
熱交換器２０は、内部を冷媒が流れ、外部を通過する空気と熱交換を行う。ファン２１は、室内の空気を取り込み、熱交換器２０により冷媒と熱交換した後の空気を吹き出す。冷媒入口温度センサ２２は、冷房運転時に、熱交換器２０へ入る冷媒の温度を測定する。冷媒出口温度センサ２３は、冷房運転時に、熱交換器２０から出た冷媒の温度を測定する。このため、暖房運転時には、冷媒は冷房運転時とは反対の方向に流れるため、冷媒入口温度センサ２２で熱交換器２０から出た冷媒の温度を測定し、冷媒出口温度センサ２３で熱交換器２０へ入る冷媒の温度を測定する。吸込空気温度センサ２４は、ファン２１により室内機１０内へ取り込まれた空気の温度、すなわち室温を測定する。
【００２６】
制御装置２５は、風量が設定風量になるようにファン２１を制御する。制御装置２５は、リモコン１１と通信を行い、運転条件の変更を受け付け、運転モードや設定温度等の設定変更を行う。また、制御装置２５は、室外機１２との間で通信を行い、冷媒入口温度センサ２２、冷媒出口温度センサ２３、吸込空気温度センサ２４により測定された温度や、変更された設定温度等を通知する。
【００２７】
制御装置２５は、無線通信モジュールを備え、中継装置１４との間で無線通信を行う。これにより、制御装置２５は、通信端末１５からも運転条件の変更を受け付けることが可能となっている。
【００２８】
制御装置２５は、リモコン１１や通信端末１５からタイマ設定の指示を受け付け、タイマ設定を行う。制御装置２５は、設定した時刻等になり、リモコン１１や通信端末１５からの起動の指示を受けて、室外機１２に対して起動を指令し、ファン２１を起動させることにより運転を開始させる。また、制御装置２５は、設定した時刻等になり、リモコン１１や通信端末１５からの運転停止の指示を受けて、室外機１２に対して運転停止を指令し、ファン２１の運転を停止させる。
【００２９】
マイク２６は、リモコン１１や通信端末１５でタイマ設定されていることを音声により出力する。マイク２６は、現在運転中の運転モード等を音声により出力してもよい。
【００３０】
室外機１２は、圧縮機３０と、四方弁３１と、熱交換器３２と、膨張弁３３と、ファン３４と、制御装置３５とを含む。また、室外機１２は、温度センサや圧力センサ等の各種センサを含む。
【００３１】
圧縮機３０は、冷媒を圧縮し、室内機１０と室外機１２との間で冷媒を循環させる。冷媒としては、ハイドロフルオロカーボン（HFC）を使用でき、ＨＦＣとしては、共沸性の混合冷媒であるＲ４１０Ａや単一冷媒であるＲ３２等を使用できる。四方弁３１は、空気調和装置を冷房に使用するか、暖房に使用するかに応じて、冷媒を流す方向を切り替える。
【００３２】
熱交換器３２は、室内機１０の熱交換器２０と同様、内部を冷媒が流れ、外部を通過する空気と熱交換を行う。膨張弁３３は、冷媒の圧力を減圧する。ファン３４は、モータにより回転し、外気を取り込み、熱交換器３２により冷媒と熱交換した後の外気を吹き出す。
【００３３】
制御装置３５は、センサから取得した各情報に基づき、圧縮機３０が備えるモータの回転数、ファン３４が備えるモータの回転数、膨張弁３３の弁開度等を制御する。制御装置３５は、所望の温度、圧力、流量で冷媒を室内機１０へ供給するように制御する。
【００３４】
図３は、室内機１０が備える制御装置２５のハードウェア構成の一例を示した図である。制御装置２５は、ＣＰＵ４０と、フラッシュメモリ４１と、ＲＡＭ４２と、通信Ｉ／Ｆ４３と、制御Ｉ／Ｆ４４と、出力Ｉ／Ｆ４５とをハードウェアとして含む。ＣＰＵ４０等は、バス４６に接続され、バス４６を介して情報等のやりとりを行う。
【００３５】
フラッシュメモリ４１は、ＣＰＵ４０により実行されるプログラムや各種のデータ等を格納する。ＲＡＭ４２は、ＣＰＵ４０に対して作業領域を提供する。ＣＰＵ４０は、フラッシュメモリ４１に格納されたプログラムをＲＡＭ４２に読み出し実行することで、各種の機能を実現する。
【００３６】
通信Ｉ／Ｆ４３は、リモコン１１や室外機１２と接続し、中継装置１４を介してネットワーク１３と接続する。これにより、通信Ｉ／Ｆ４３は、リモコン１１や室外機１２との通信、ネットワーク１３を介した通信端末１５との通信を実現する。制御Ｉ／Ｆ４４は、ファン２１と接続し、ファン２１の制御を実現する。出力Ｉ／Ｆ４５は、マイク２６と接続し、マイク２６への音声の出力を制御する。
【００３７】
図４は、リモコン１１および通信端末１５のハードウェア構成の一例を示した図である。リモコン１１は、図４（ａ）に示すように、入力ボタン５０と、メモリ５１と、表示部５２と、通信Ｉ／Ｆ５３と、電源部５４とを含む。入力ボタン５０は、室内機１０の電源を投入する電源ボタン、運転モードを切り替える切替ボタン、温度、風量、タイマ予約等を設定する設定ボタン等を含む。メモリ５１は、入力ボタン５０により設定された運転モードや温度等の設定内容等を記憶する。
【００３８】
表示部５２は、表示画面を有し、現在の時刻、運転モード、設定温度や設定風量、タイマ予約の有無等を表示する。通信Ｉ／Ｆ５３は、室内機１０に対して運転開始や運転停止の指示、運転モード等の通知等を行う。電源部５４は、蓄電池を含み、入力ボタン５０、メモリ５１、表示部５２、通信Ｉ／Ｆ５３に対して電源を供給する。
【００３９】
通信端末１５は、携帯電話、スマートフォン、ＰＤＡ（Personal  Digital  Assistant）、タブレット端末、ノートＰＣ等で、ＣＰＵ６０と、フラッシュメモリ６１と、ＲＡＭ６２と、通信Ｉ／Ｆ６３と、操作部６４と、電源部とを含む。ＣＰＵ６０等は、バス６５に接続され、バス６５を介して情報等のやりとりを行う。
【００４０】
フラッシュメモリ６１は、ＣＰＵ６０により実行されるプログラムや各種のデータ等を格納する。ＲＡＭ６２は、ＣＰＵ６０に対して作業領域を提供する。ＣＰＵ６０は、フラッシュメモリ６１に格納されたプログラムをＲＡＭ６２に読み出し実行することで、各種の機能を実現する。
【００４１】
通信Ｉ／Ｆ６３は、中継装置１６を介してネットワーク１３と接続する。これにより、通信Ｉ／Ｆ６３は、ネットワーク１３を介した室内機１０との通信を実現する。操作部６４は、例えばタッチパネルとされ、ユーザからの入力を受け付け、入力された情報や室内機１０から受信した情報等を表示する。なお、操作部６４は、表示部としてのディスプレイと、入力部としてのキーボード等とから構成されていてもよい。電源部は、蓄電池を含み、ＣＰＵ６０、フラッシュメモリ６１、ＲＡＭ６２、通信Ｉ／Ｆ６３、操作部６４に対して電源を供給する。
【００４２】
図５は、室内機１０が備える制御装置２５により実現される機能の一例を示したブロック図である。制御装置２５は、各機能を機能手段により実現し、受信手段７０と、設定手段７１と、制御手段７２と、音声出力手段７３と、送信手段７４とを含む。これら機能手段は、ＣＰＵ４０がフラッシュメモリ４１により格納されたプログラムを実行することにより実現されてもよいし、その一部または全部が回路等のハードウェアにより実現されてもよい。
【００４３】
制御装置２５は、リモコン１１や通信端末１５からの指示を受け付け、タイマ設定を行う。タイマ設定は、リモコン１１と通信端末１５の２つの装置からの指示に限られるものではなく、他の装置からの指示によっても設定できる。
【００４４】
ここで、従来の空気調和システムにおける予約管理について簡単に説明しておく。従来のシステムでは、通信端末で設定したタイマ予約が残っている状態で、リモコンからタイマ予約を行った場合、通信端末からの先のタイマ予約が、リモコンからの後のタイマ予約により上書きされる。その逆も同様で、リモコンで設定したタイマ予約が残っている状態で、通信端末からタイマ予約を行った場合、リモコンからの先のタイマ予約が、通信端末からの後のタイマ予約により上書きされる。このため、先のタイマ予約は、自動的に取り消され、タイマが実施されることはない。
【００４５】
図６を参照して詳細に説明する。通信端末１００から、月曜日から金曜日まで、６時に運転を開始させ、８時に運転を停止するようにタイマ設定したとする。その後、リモコン１０１から、２２時に運転を開始させ、翌日の１時に運転を停止するようにタイマ設定したとする。
【００４６】
従来のシステムでは、後で設定したタイマ予約を優先するため、リモコン１０１からタイマ設定した後は、先に設定した通信端末１００からのタイマ設定は上書きされ、リモコン１０１で設定したタイマのみが実施される。
【００４７】
室内機１０２は、室内機１０２が運転していることを示す運転ランプ１０３と、タイマ設定していることを示すタイマランプ１０４とを有する。タイマランプ１０４は、通信端末１００からタイマ設定の指示を受け付けて点灯し、予約が残っている間は点灯し続ける。この例では、タイマランプ１０４は、リモコン１０１で設定したタイマのみが実施されるため、運転の終了時刻、すなわち翌日の１時に運転を停止した時点で消灯する。
【００４８】
運転ランプ１０３は、リモコン１０１で設定したタイマが実施され、運転を開始した時点で点灯し、その運転が終了した時点で消灯する。
【００４９】
リモコン１０１と通信端末１００とは、必ずしも同一の内容のタイマ予約が設定できるものではない。これは、通信端末１００に実装されるアプリケーション等によって予約可能な内容が異なるからである。このため、リモコン独自のタイマ機能は、通信端末１００からはタイマ設定することができない。従来のシステムでは、タイマ設定が上書きされるので、リモコン独自のタイマ機能と、通信端末１００のタイマ機能とを同時に併用することができなかった。これでは、リモコン１０１からタイマ設定しておいても、その後に、通信端末１００からタイマ設定された場合、再度リモコン１０１からタイマ設定し直さなければならない。
【００５０】
また、リモコン１０１は、室内機１０２との間で双方向の通信を行っている訳ではなく、室内機１０２への一方向の通信で、室内機１０２へ起動の指示等を送信するのみである。このため、リモコン１０１で設定したタイマ予約が、後から通信端末１００で設定したタイマ予約で上書きされたとしても、リモコン１０１上では、リモコン１０１で設定したタイマ予約しか表示されず、そのタイマ予約が取り消されることもない。すると、リモコン１０１でタイマ設定しているにもかかわらず、予約した時間が経過しても運転が開始されない事態が発生する。
【００５１】
このような問題は、リモコン１０１と通信端末１００の両方からタイマ予約を受け付ける空気調和装置において、タイマ予約を装置に寄らず、共通に管理しているために発生する。そこで、本システムでは、タイマ予約を装置の種別毎に管理することとする。
【００５２】
再び図５を参照して、受信手段７０は、２以上の装置、例えばリモコン１１と通信端末１５からタイマ予約を受け付ける。受信手段７０は、例えば通信に使用する通信ポートに応じて第１および第２の受信手段から構成されてもよい。この場合、第１の受信手段は、ネットワークを介さずにタイマ予約を受け付け、第２の受信手段は、中継装置１４と接続され、ネットワークを介してタイマ予約を受け付けることができる。
【００５３】
このとき、受信手段７０は、リモコン１１や通信端末１５の識別情報も受信する。識別情報は、ペアリング等の方法により予め登録され、登録されている識別情報を有する装置からしか運転を制御できないようにするために使用される。また、識別情報は、タイマ予約の際、どの装置でタイマ設定されているかを識別するために使用される。
【００５４】
設定手段７１は、装置の種別毎にタイマ予約を設定する。装置の種別は、室内機１０とネットワークを介してタイマ予約を受け付けたか否かにより判別することができる。ネットワークを介してタイマ予約を受け付けたか否かは、上記の通信ポートから直接判断してもよいし、受信手段７０が第１および第２の受信手段から構成される場合、いずれの受信手段でタイマ予約を受け付けたかにより判断してもよい。ここでは、通信ポートから判断する例を示したが、これに限られるものではない。
【００５５】
ネットワークを介することなくタイマ予約を受け付けた場合、機種やメーカが異なっていても、種別は「リモコン」である。一方、ネットワークを介してタイマ予約を受け付けた場合、携帯電話、スマートフォン、タブレット端末のいずれであっても、種別は「遠隔制御端末」である。ちなみに、室内において、例えばスマートフォンを使用し、中継装置１４を介して室内機１０と通信を行う場合、スマートフォンと中継装置１４との間は、無線ネットワークによる通信となる。このため、室内でスマートフォンからタイマ予約を受け付けた場合、ネットワークを介してタイマ予約を受け付けたことから、種別は「遠隔制御端末」と判別することができる。
【００５６】
タイマ予約は、各種別につき、１つしか設定することができない。このため、種別が同じ装置からタイマ予約を受け付けた場合、設定手段７１は、その種別に対して既に設定されたタイマ予約の上に、新たに受け付けたタイマ予約を上書きする。例えば、室内機１０と通信可能なリモコンが２つ存在し、それぞれに「１」、「２」という識別情報を割り当て、リモコン１からタイマ予約を受け付けた場合、設定手段７１は、種別「リモコン」に紐付けて「１」を設定する。その後、リモコン２からタイマ予約を受け付けると、設定手段７１は、種別「リモコン」に対し、既に設定された「１」を「２」で上書きし、更新する。
【００５７】
設定手段７１は、フラッシュメモリ４１等の記憶装置の所定の記憶領域に、種別の数に応じてビットを書き込むことができる領域を設けておき、その領域にビットを書き込むことによりタイマ設定を行うことができる。ビットは、「０」のとき、いずれの装置からもタイマが設定されていないことを示し、「１」、「２」等に上書きすることで、各装置からタイマが設定されていることを示す。なお、これは一例であり、設定方法はこれに限られるものではない。
【００５８】
制御手段７２は、種別毎に設定されたタイマ予約の予約内容に従って、室内機１０を制御する。予約内容は、どの機能で運転するか、いつ起動するか、いつ運転を終了するか等を示す。室内機１０の起動や停止の指示、機能の通知は、タイマで設定した開始時刻等になったときに、リモコン１１や通信端末１５から送信される。制御手段７２は、これを受けて、室内機１０を起動し、停止させる。また、制御手段７２は、室外機１２に対して起動や停止を指令し、上記の機能に応じて、設定温度の変更等を通知するように送信手段７４に対して指示する。また、制御手段７２は、ファン２１を起動し、設定風量となるようにファン２１のモータの回転数等を制御する。
【００５９】
制御手段７２は、設定手段７１によりタイマ設定された場合、タイマ設定されたことを提示する。タイマ設定されたか否かは、室内機１０に設けられるランプの点灯等により提示できる。なお、ランプは、空気調和装置を操作する装置の種別毎に設けられるものではなく、装置に共通で使用される。このため、制御手段７２は、リモコン１１のみ、もしくは通信端末１５のみ、またはリモコン１１と通信端末１５の両方のいずれからタイマ設定されていても、ランプを点灯させる。
【００６０】
送信手段７４は、制御手段７２からの指示を受けて、室外機１２に対して起動を指令し、設定温度の変更や測定した室温等を通知する。
【００６１】
リモコン１１は、予約状況を確認するための確認ボタンを有する。このため、ユーザは、リモコン１１の確認ボタンを押下することで、現在どの装置からタイマ設定されているかを確認することができる。
【００６２】
制御手段７２は、リモコン１１の確認ボタンが押下され、リモコン１１から受信手段７０を介してタイマ予約の予約状況の確認要求を受け付けると、音声出力手段７３に対し、予約状況を音声により出力するように指示する。音声出力手段７３は、制御手段７２からの指示を受けて、予約状況を音声により出力する。出力する内容は、「遠隔制御端末でタイマ設定されています。」等である。なお、これは一例であるので、これに限られるものではない。
【００６３】
通信端末１５も、リモコン１１と同様、予約状況を確認するための確認ボタンを表示画面上に有する。このため、ユーザは、表示画面上の確認ボタンをタッチすることで、現在どの装置からタイマ設定されているかを確認することができる。
【００６４】
制御手段７２は、通信端末１５から受信手段７０を介してタイマ予約の予約状況の確認要求を受け付けると、送信手段７４に対し、通信端末１５以外のリモコン１１からのタイマ予約の予約状況の情報を送信するように指示する。送信手段７４は、制御手段７２からの指示を受けて、予約状況の情報を送信する。
【００６５】
受信手段７０は、タイマ予約の取り消し要求（解除要求）も受け付ける。この場合、設定手段７１は、ネットワーク１３を介してタイマ予約を受け付けたか否かに応じて種別を判別し、判別した種別に設定されたタイマ設定を解除する。制御手段７２は、取り消し要求があった種別以外の他の種別にタイマ設定されている場合、タイマ予約が残っていると判断する。そして、制御手段７２は、残っているタイマ予約の予約状況を、音声出力手段７３に対して音声出力するように指示し、送信手段７４に対して通信端末１５に送信するように指示する。
【００６６】
通信端末１５は、予約状況の情報を受信すると、ポップアップメッセージ等の通知方法を使用し、予約状況を表示する。ここでは、画面の最前面に飛び出すように表示するポップアップメッセージを１つの通知方法として例示したが、通知方法は、この方法に限定されるものではない。
【００６７】
送信手段７４は、定期的にネットワーク１３を介して通信端末１５に対して問い合わせを行う。受信手段７０は、送信手段７４の問い合わせに対する応答を受信する。制御手段７２は、送信手段７４が問い合わせを行い、受信手段７０が一定時間内に応答を受信したか否かにより、通信端末１５との間の通信に途絶が発生しているか否かを確認する。制御手段７２は、通信の途絶が発生している場合、通信端末１５で設定したタイマを実施させないように制御する。また、制御手段７２は、通信端末１５のみからタイマ設定され、他の装置からはタイマ設定されていない場合、ランプを消灯させる。
【００６８】
制御手段７２は、定期的に通信の途絶が発生しているか否かを確認し、通信が復旧した場合、ランプを点灯させ、タイマを実施させる。
【００６９】
このような機能をもつ本システムの動作の一例を、図７を参照して説明する。図６に示した例と同様、通信端末１５で月曜日から金曜日まで、６時に運転を開始させ、８時に運転を停止するようにタイマ設定したとする。その後、リモコン１１で２２時に運転を開始させ、翌日の１時に運転を停止するようにタイマ設定したとする。
【００７０】
本システムでは、種別が異なる装置からタイマ設定された場合、いずれのタイマ予約も併存するため、リモコン１１でタイマ設定した後も、先に設定した通信端末１５のタイマを実施できる。
【００７１】
室内機１０は、運転ランプ２７と、タイマランプ２８とを有する。タイマランプ２８は、通信端末１５からのタイマ設定を受け付けた時点で点灯し、リモコン１１からタイマ予約を設定しても点灯し続ける。タイマランプ２８は、リモコン１１から設定したタイマ予約に基づく運転が終了しても、通信端末１５から設定したタイマ予約が残っているため、点灯し続ける。
【００７２】
運転ランプ２７は、リモコン１１から設定したタイマ予約に基づく運転を開始した時点で点灯し、その運転が終了した時点で消灯する。その後、運転ランプ２７は、通信端末１５から設定したタイマ予約に基づく運転を開始した時点で点灯し、その運転が終了した時点で消灯することを繰り返す。これは、通信端末１５から設定したタイマ予約が毎週月曜日から金曜日まで繰り返し運転するように設定されているためである。
【００７３】
図８は、リモコン１１から予約状況の確認を行った場合の例を示した図である。図８に示すシステムの動作は、図７に示した例と同様である。リモコン１１からタイマ設定し、そのタイマ予約に基づく運転中に、リモコン１１から予約状況の確認要求を送信する。これを受けて、室内機１０は、リモコン１１と通信端末１５の両方からタイマ設定されていることを音声により出力する。
【００７４】
このとき、室内機１０は、送信先の通信端末１５を除き、リモコン１１からタイマ設定されていることを通信端末１５に通知する。通知された情報は、通信端末１５の画面上に表示される。
【００７５】
リモコン１１からのタイマ予約に基づく運転が終了した後、リモコン１１から予約状況の確認要求を受け付けた場合、室内機１０は、通信端末１５からのタイマ予約しか残っていないので、通信端末１５からタイマ設定されていることを音声により出力する。この場合、室内機１０は、送信先となる通信端末１５のタイマ予約しか残っていないので、通信端末１５へは予約状況を通知しない。
【００７６】
図９は、室内機１０と通信端末１５との通信が途絶した場合のシステムの動作例を示した図である。この例では、リモコン１１からのタイマ予約に基づく運転中に、通信端末１５からタイマ設定され、その後、室内機１０と通信端末１５との通信が何らの原因で一定時間途絶している。原因としては、停電、通信端末１５の電波が中継装置１６に届かない、通信端末１５の電波が中継装置１６に届いていたとしても弱いこと等が挙げられる。
【００７７】
通信途絶が発生すると、通信端末１５から室内機１０へアクセスできなくなるため、通信端末１５から設定したタイマ予約を取り消そうとしても、取り消すことができない。
【００７８】
そこで、室内機１０は、定期的に通信端末１５と通信を行い、一定時間が経過しても応答がない場合、通信途絶が発生したと判断する。具体的には、送信手段７４が通信端末１５へ向けてメッセージを送信する。制御手段７２が、受信手段７０が一定時間内にそのメッセージに対する応答を受信したか否かにより、通信途絶の有無を判断する。
【００７９】
通信途絶が発生した場合、制御手段７２は、タイマランプ２８を消灯させ、タイマを停止させる。
【００８０】
室内機１０は、通信途絶が発生した後も、送信手段７４および受信手段７０を使用して定期的に通信端末１５への接続を試みる。通信端末１５への接続が成功した場合、制御手段７２は、通信途絶から復旧したと判断する。通信が復旧した場合、制御手段７２は、タイマランプ２８を再び点灯させ、タイマを実施させる。
【００８１】
以上に説明してきたように、本願の室内機、該室内機を含む空気調和装置、該空気調和装置を含む空気調和システムを提供することで、種別が異なる装置から受け付けたそれぞれの予約に基づく運転を実行することが可能となる。また、音声出力手段を設けることで、どの装置からタイマ予約が設定されているかを容易に把握することができる。
【００８２】
これまで本発明の室内機、空気調和装置および空気調和システムについて上述した実施形態をもって詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。
【符号の説明】
【００８３】
１０…室内機
１１…リモコン
１２…室内機
１３…ネットワーク
１４、１６…中継装置
１５…通信端末
１７…冷媒配管
２０…熱交換器
２１…ファン
２２…冷媒入口温度センサ
２３…冷媒出口温度センサ
２４…吸込空気温度センサ
２５…制御装置
２６…マイク
２７…運転ランプ
２８…タイマランプ
３０…圧縮機
３１…四方弁
３２…熱交換器
３３…膨張弁
３４…ファン
３５…制御装置
４０…ＣＰＵ
４１…フラッシュメモリ
４２…ＲＡＭ
４３…通信Ｉ／Ｆ
４４…制御Ｉ／Ｆ
４５…出力Ｉ／Ｆ
４６…バス
５０…入力ボタン
５１…メモリ
５２…表示部
５３…通信Ｉ／Ｆ
５４…電源部
６０…ＣＰＵ
６１…フラッシュメモリ
６２…ＲＡＭ
６３…通信Ｉ／Ｆ
６４…操作部
６５…バス
７０…受信手段
７１…設定手段
７２…制御手段
７３…音声出力手段
７４…送信手段
１００…通信端末
１０１…リモコン
１０２…室内機
１０３…運転ランプ
１０４…タイマランプ
【図１】
2021075020.tif 000003
【図２】
2021075020.tif 000004
【図３】
2021075020.tif 000005
【図４】
2021075020.tif 000006
【図５】
2021075020.tif 000007
【図６】
2021075020.tif 000008
【図７】
2021075020.tif 000009
【図８】
2021075020.tif 000010
【図９】
2021075020.tif 000011
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
運転の予約を受け付ける室内機であって、
２以上の装置から運転の予約を受け付ける受信手段と、
前記装置の種別毎に前記運転の予約を設定する設定手段と、
種別毎に設定された前記運転の予約の予約内容に従って、前記室内機を制御する制御手段と
を含み、
前記設定手段は、種別が同じ装置から予約を受け付けた場合、当該種別に対して既に設定されている予約を、受け付けた予約で上書きする、
室内機。
【請求項２】
前記設定手段は、前記室内機とネットワークを介して前記運転の予約を受け付けたか否かに応じて前記装置の種別を判別する、請求項１に記載の室内機。
【請求項３】
前記設定手段は、前記２以上の装置のうちの１つから予約の解除要求を受けて、対応する前記種別に設定された前記予約を解除する、請求項１または２に記載の室内機。
【請求項４】
前記２以上の装置のうちの１つから予約状況の確認要求を受けて、前記設定手段により設定されている前記予約の情報を音声出力する音声出力手段を含む、請求項１〜３のいずれか１項に記載の室内機。
【請求項５】
前記音声出力手段は、前記２以上の装置のうちの１つから予約の解除要求を受けて、解除する予約以外の残りの予約の情報を音声出力する、請求項４に記載の室内機。
【請求項６】
前記２以上の装置のうちの１つから予約状況の確認要求を受けて、前記設定手段により設定されている前記予約の情報を送信する送信手段を含む、請求項１〜５のいずれか１項に記載の室内機。
【請求項７】
前記送信手段は、前記２以上の装置のうちの１つから予約の解除要求を受けて、解除する予約以外の残りの予約の情報を送信する、請求項６に記載の室内機。
【請求項８】
前記種別に関係なく少なくとも１つの前記予約が設定されていることを表示する表示手段を含む、請求項１〜７のいずれか１項に記載の室内機。
【請求項９】
前記制御手段は、前記２以上の装置のうちの１つがネットワークを介して接続されているか否かを判断し、
前記表示手段は、前記種別に関係なく少なくとも１つの前記予約が設定されていることを点灯により表示するランプであり、
前記制御手段は、前記ネットワークを介して接続されていないと判断した装置についての予約しか設定されていない場合、前記ランプを消灯させる、請求項８に記載の室内機。
【請求項１０】
請求項１〜９のいずれか１項に記載の室内機を含む、空気調和装置。
【請求項１１】
請求項１〜９のいずれか１項に記載の室内機と、前記室内機に対して運転の予約の設定を指示する２以上の装置とを含む、空気調和システム。
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
運転の予約を受け付ける室内機であって、
２以上の装置から運転の予約を受け付ける受信手段と、
前記装置の種別毎に前記運転の予約を設定する設定手段と、
種別毎に設定された前記運転の予約の予約内容に従って、前記室内機を制御する制御手段と
を含み、
前記設定手段は、いずれの種別に対しても、種別が同じ装置から予約を受け付けた場合、当該種別に対して既に設定されている予約を、受け付けた予約で上書きし、前記既に設定されている予約を取り消す、
室内機。
【請求項２】
前記設定手段は、前記室内機とネットワークを介して前記運転の予約を受け付けたか否かに応じて前記装置の種別を判別する、請求項１に記載の室内機。
【請求項３】
前記設定手段は、前記２以上の装置のうちの１つから予約の解除要求を受けて、対応する前記種別に設定された前記予約を解除する、請求項１または２に記載の室内機。
【請求項４】
前記２以上の装置のうちの１つから予約状況の確認要求を受けて、前記設定手段により設定されている前記予約の情報を音声出力する音声出力手段を含む、請求項１〜３のいずれか１項に記載の室内機。
【請求項５】
前記音声出力手段は、前記２以上の装置のうちの１つから予約の解除要求を受けて、解除する予約以外の残りの予約の情報を音声出力する、請求項４に記載の室内機。
【請求項６】
前記２以上の装置のうちの１つから予約状況の確認要求を受けて、前記設定手段により設定されている前記予約の情報を送信する送信手段を含む、請求項１〜５のいずれか１項に記載の室内機。
【請求項７】
前記送信手段は、前記２以上の装置のうちの１つから予約の解除要求を受けて、解除する予約以外の残りの予約の情報を送信する、請求項６に記載の室内機。
【請求項８】
前記種別に関係なく少なくとも１つの前記予約が設定されていることを表示する表示手段を含む、請求項１〜７のいずれか１項に記載の室内機。
【請求項９】
前記制御手段は、前記２以上の装置のうちの１つと定期的に通信を行い、前記受信手段が一定時間内に応答を受信したか否かに基づき、前記２以上の装置のうちの１つがネットワークを介して接続されているか否かを判断し、
前記表示手段は、前記種別に関係なく少なくとも１つの前記予約が設定されていることを点灯により表示するランプであり、
前記制御手段は、前記ネットワークを介して接続されていないと判断した装置についての予約しか設定されていない場合、前記ランプを消灯させる、請求項８に記載の室内機。
【請求項１０】
請求項１〜９のいずれか１項に記載の室内機を含む、空気調和装置。
【請求項１１】
請求項１〜９のいずれか１項に記載の室内機と、前記室内機に対して運転の予約の設定を指示する２以上の装置とを含む、空気調和システム。
【国際調査報告】
2021075020.tif 000012
2021075020.tif 000013
2021075020.tif 000014
2021075020.tif 000015